(57)【要約】【課題】構成の簡素化を実現することを可能としたベビーカー用カバーを提供することを目的とする。【解決手段】ベビーカー後方の背面押し位置と前方の対面押し位置との間を回動可能なハンドルを備えたベビーカー１を覆うベビーカー用カバー３１において、ベビーカー１を上方から覆うカバー本体３２と、カバー本体３２の側方において、下端部から上方に向かって延び、上下に延びる前方側縁部３８ｂと後方側縁部３８ａとが離間した開口部３８と、基端部と先端部とを備え、基端部がカバー本体３２に取り付けられ、基端部と先端部との間で開口部３８を閉塞する閉塞部４１と、閉塞部４１が開口部３８を開閉可能な状態で閉塞した状態に維持し、先端部をカバー本体３２に対して固定する固定部とを備える。【選択図】図３
2019127166.tif 000002
【特許請求の範囲】
【請求項１】
ベビーカー後方の背面押し位置と前方の対面押し位置との間を回動可能なハンドルを備えたベビーカーを覆うベビーカー用カバーにおいて、
前記ベビーカーを上方から覆うカバー本体と、
前記カバー本体の側方において、下端部から上方に向かって延び、上下に延びる前方側縁部と後方側縁部とが離間した開口部と、
基端部と先端部とを備え、前記基端部が前記カバー本体に取り付けられ、前記基端部と前記先端部との間で前記開口部を閉塞する閉塞部と、
前記閉塞部が前記開口部を開閉可能な状態で閉塞した状態に維持する固定部であって、前記先端部を前記カバー本体又は前記ベビーカーに対して固定する前記固定部と
を備えるベビーカー用カバー。
【請求項２】
前記基端部は、前記開口部の前方側縁部または後方側縁部のうちの何れかの一方の側縁部から離れて取り付けられ、前記閉塞部の先端部は、他方の側縁部から離れた位置で開閉可能に前記固定部により固定される
請求項１に記載のベビーカー用カバー。
【請求項３】
前記開口部は、前記カバー本体の下端部に位置する開口端が前記開口部の中で最も広い幅である
請求項１または２に記載のベビーカー用カバー。
【請求項４】
前記ベビーカーは、前記ハンドルを前記背面押し位置にロックする後方ロック部を備え、
前記開口部における前記カバー本体の下端部に位置する開口端と反対側の最奥部は、前記ハンドルが前記背面押し位置にあるとき、前記後方ロック部が前記ハンドルと係合した係合位置に当接し、前記ベビーカーに対して前記カバー本体を支持する
請求項１ないし３のうち何れか１項に記載のベビーカー用カバー。
【請求項５】
前記ベビーカーは、前記ハンドルを前記対面押し位置に支持する前方ロック部を備え、
前記カバー本体は、前記側方において、前記前方ロック部を露出させる露出孔を備える
請求項１ないし４のうち何れか１項に記載のベビーカー用カバー。
【発明の詳細な説明】
【技術分野】
【０００１】
本発明は、ハンドルが背面押し位置と対面押し位置との間を移動するベビーカーを覆うベビーカー用カバーに関する。
【背景技術】
【０００２】
ベビーカー用カバーは、ベビーカーに乗車している乳幼児を風雨や塵埃や排出ガスから保護するため、ベビーカーを上側から覆うように取り付けられる。ところで、ベビーカーには、ハンドルがベビーカー後方の背面押し位置とベビーカー前方の対面押し位置とに移動するものがある。このようなベビーカーにカバーが取り付けられている場合、ハンドルの位置を切り替えるには、一度、カバーをベビーカーから取り外してから、ハンドルの位置の切り替え、再度、カバーをベビーカーに取り付ける必要があり、その作業が面倒である。そこで、特許文献１には、ベビーカーにカバーを取り付けた状態で、ハンドルの位置を切り替えることができるようにしたカバーが記載されている。
【先行技術文献】
【特許文献】
【０００３】
【特許文献１】特許第４７３９８３９号公報
【発明の概要】
【発明が解決しようとする課題】
【０００４】
このようなベビーカー用カバーにあっては、天候などが悪いときに使用されるものであるから、ベビーカーに対する着脱作業が容易なものが望まれる。
本発明は、着脱作業を容易に行うことを可能としたベビーカー用カバーを提供することを目的とする。
【課題を解決するための手段】
【０００５】
以上のような課題を解決するベビーカー用カバーは、ベビーカー後方の背面押し位置と前方の対面押し位置との間を回動可能なハンドルを備えたベビーカーを覆うベビーカー用カバーにおいて、前記ベビーカーを上方から覆うカバー本体と、前記カバー本体の側方において、下端部から上方に向かって延び、上下に延びる前方側縁部と後方側縁部とが離間した開口部と、基端部と先端部とを備え、前記基端部が前記カバー本体に取り付けられ、前記基端部と前記先端部との間で前記開口部を閉塞する閉塞部と、前記閉塞部が前記開口部を開閉可能な状態で閉塞した状態に維持する固定部であって、前記先端部を前記カバー本体又は前記ベビーカーに対して固定する前記固定部とを備える。
【０００６】
上記構成によれば、開口部の前方側縁部と後方側縁部とが離間しているので、ハンドルとアームレストとの間などに位置するハンドルの回動支点部を開口部に容易に挿入して、閉塞部で、開口部を閉塞することができる。
【０００７】
上記ベビーカー用カバーにおいて、前記基端部は、前記開口部の前方側縁部または後方側縁部のうちの何れかの一方の側縁部から離れて取り付けられ、前記閉塞部の先端部は、他方の側縁部から離れた位置で開閉可能に前記固定部により固定される構成としてもよい。
【０００８】
上記構成によれば、閉塞部は、基端部が後方側縁部から後方隙間を介して固定され、先端部が前方隙間を介して固定部により固定される構成なので、開口部より大きい。したがって、閉塞部は、しっかりと開口部を塞ぐことができる。
【０００９】
上記ベビーカー用カバーにおいて、前記開口部は、前記カバー本体の下端部に位置する開口端が前記開口部の中で最も広い幅である構成としてもよい。
上記構成によれば、開口部が下側の開口端が幅広であることで、ハンドルとアームレストの間にカバー本体の側方部分を入れやすくなる。
【００１０】
上記ベビーカー用カバーにおいて、前記ベビーカーは、前記ハンドルを前記背面押し位置にロックする後方ロック部を備え、前記開口部における前記カバー本体の下端部に位置する開口端と反対側の最奥部は、前記ハンドルが前記背面押し位置にあるとき、前記後方ロック部が前記ハンドルと係合した係合位置に当接し、前記ベビーカーに対して前記カバー本体を支持する構成としてもよい。
【００１１】
上記構成によれば、最奥部が、ハンドルが後方ロック部に係合した係合位置と当接することで、カバー本体をベビーカーに対して支持する支持部となり、ベビーカーの最外部分を構成する他の部材とともにカバーを支持することができる。
【００１２】
上記ベビーカー用カバーにおいて、前記ベビーカーは、前記ハンドルを前記対面押し位置に支持する前方ロック部を備え、前記カバー本体は、前記側方において、前記前方ロック部を露出される露出孔を備える構成としてもよい。
【００１３】
上記構成によれば、カバーが装着された状態でも、ハンドルを背面押し位置から対面押し位置に回動し、ハンドルを前方ロック部に直接係合させることができる。
【発明の効果】
【００１４】
本発明は、着脱作業を容易に行うことを可能としたベビーカー用カバーを提供することができる。
【図面の簡単な説明】
【００１５】
【図１】カバーを装着したベビーカーを前方から見た斜視図。
【図２】カバーの開口部と閉塞部の周辺を示す要部斜視図。
【図３】カバーを装着したベビーカーの側面図。
【発明を実施するための形態】
【００１６】
以下、図１〜図３を参照して、ベビーカー用カバーについて説明する。
まず、ベビーカー用カバーの説明に先立って、ベビーカーの構成を説明する。図１は、乳幼児などを乗せて使用するための一人乗りの折り畳み式のベビーカー１であり、展開状態において、乳幼児などを寝かせた姿勢や座らせた姿勢で使用する。図１に示すベビーカー１の状態は、ハンドルがベビーカー後方に位置し、後方からベビーカー１を操作する背面押しの状態を示している。以下の説明では、背面押しの状態を基準にして、進行方向を「前方」と定義し、進行方向に対して反対方向を後方（背面）と定義し、さらに進行方向に対して左右方向を左右（幅）方向と定義し、進行方向に対して上下方向を上下と定義する。
【００１７】
図１に示すように、このベビーカー１は、一対の前脚フレーム１１、一対の後脚フレーム１２、乳幼児などを寝かせた姿勢や座らせた姿勢で乗車させる乗車部１３、アームレスト１４、ハンドル１６などを備えている。各前脚フレーム１１は、直線的な形状を有しており、その下端部には、キャスター付きの前輪１１ａが配置されている。各後脚フレーム１２は、Ｌ字形状を有しており、その下端部には、キャスター付きの後輪１２ａが配置されている。一対の前脚フレーム１１において、上端部は、アームレスト１４が回動可能に支持されている。一対の後脚フレーム１２もまた、上端部は、アームレスト１４が回動可能に支持されている。一対の前脚フレーム１１は、左右方向に横断する前ステー２４によって連結されており、前ステー２４には、着座している乳幼児等が足を掛けるステップ２５が配置されている。
【００１８】
アームレスト１４の先端部には、フロントガード１５が着脱可能に取り付けられる。アームレスト１４の外側には、ベビーカー１を押して操作するハンドル１６が配置されている。ハンドル１６は、全体がＵ字形状を有しており、縦フレーム１６ａと横フレーム１６ｂとを備えている。縦フレーム１６ａは、ベビーカー１の幅方向において、最も外側に位置している。ハンドル１６の中で横に延びる横フレーム１６ｂは、中央部に、操作者によって操作される開閉ロックレバー１７が配置されている。ハンドル１６の縦に延びる縦フレーム１６ａは、後脚フレーム１２などと連携するフレームに、回動軸などで構成された回動支点部１８によって回動可能に支持されている。ハンドル１６は、ベビーカー１の後方である背面押し位置とベビーカー１の前方である対面押し位置の２つの位置の間を、回動支点部１８を中心に回動する（矢印Ｄ方向および反矢印Ｄ方向）。ハンドル１６の縦フレーム１６ａには、ハンドル１６を背面押し位置および対面押し位置にロックする切替操作部材１９を備えている。ベビーカー１は、後脚フレーム１２、アームレスト１４などと連携するフレームに後方ロック部２０を備えている。後方ロック部２０は、切替操作部材１９が係合することでハンドル１６を背面押し位置にロックする。また、前脚フレーム１１は、ハンドル１６の切替操作部材１９が係合する前方ロック部２１を備えている。前方ロック部２１は、ハンドル１６を対面押し位置にロックする。
【００１９】
乗車部１３は、座板部材や背当てフレームによって乗車している乳幼児に対する振動を緩和するクッション部１３ａなどが設けられている。乗車部１３の上部には、幌２２が配置されている。ベビーカー１の最も外側に位置するアームレスト１４、フロントガード１５、幌２２などは、カバー３１をベビーカー１の上側から被せた際に、カバー３１を内側から支持し、乗車部１３に乳幼児のための空間を確保する支持部となる。乗車部１３の下側は、かごやネットによって、物品を収納する収納部２３が構成されている。一例として、収納部２３には、乳幼児に関連するおむつや玩具、あるいは、買い物をした商品などが収納される。
【００２０】
このようなベビーカー１に用いられるカバー３１は、ハンドル１６を除くベビーカー１のほぼ全体を覆うにおけるカバー本体３２を備えている。カバー本体３２は、撥水性及び柔軟性を有する透明色の可撓性を有する合成樹脂シートにより構成されている。カバー本体３２は、前方部分を構成する前方カバー部３３と、側方部分を構成する側方カバー部３４と、後方部分を構成する後方カバー部３５と、上方部分を構成する上方カバー部３６とを備えている。一例として、前方カバー部３３、左右の側方カバー部３４、後方カバー部３５および上方カバー部３６は、それぞれの部を構成するシート材を縫い合わせることにより構成することもできるし、展開したときに１枚のシート材を組み立てて構成することもできる。このようなカバー本体３２は、下端部に下側開口部３７が構成されており、下側開口部３７からベビーカー１をカバー本体３２の内側に入れることができる。
【００２１】
図２に示すように、側方カバー部３４は、前後方向におけるほぼ中央領域に、下側開口部３７から上方に向かって延びる開口部３８を備えている。開口部３８は、縦フレーム１６ａの内側であって乗車部１３の外側（一例としてアームレスト１４の外側）に存在する回動支点部１８が挿入される。カバー本体３２がベビーカー１に装着された際、下側開口部３７は、前輪１１ａや後輪１２ａと重なるか前輪１１ａや後輪１２ａより若干高い位置に位置することが好ましい。また、下側開口部３７の位置は、乳幼児等の足が濡れないようにするためステップ２５とほぼ同じ高さかステップ２５より下側に位置することが好ましい。また、ハンドル１６が背面押し位置にあるとき、縦フレーム１６ａの切替操作部材１９は、後方ロック部２０に係合している。したがって、カバー本体３２がベビーカー１に被せられると、開口部３８の下側開口部３７と連続する開口端と反対側の最奥部３８ｃは、切替操作部材１９が後方ロック部２０に係合した係合位置にまで至る。開口部３８の高さＨは、最奥部３８ｃが係合位置に至ったときに、下側開口部３７が前輪１１ａや後輪１２ａと重なるか前輪１１ａや後輪１２ａより若干高い位置に位置するように設定される。また、ステップ２５とほぼ同じ高さかステップ２５より下側に位置するように設定される。最奥部３８ｃは、切替操作部材１９が後方ロック部２０に係合した係合位置と接触することで、カバー本体３２をベビーカー１に対して支持する支持部ともなる。
【００２２】
また、開口部３８は、スリットのような細長い細線形状の開口ではなく、後方側縁部３８ａと前方側縁部３８ｂとを備え、後方側縁部３８ａと前方側縁部３８ｂとが所定間隔離間した構成を備えている。一例として、後方側縁部３８ａと前方側縁部３８ｂとの間の幅Ｗは、１０ｃｍから２０ｃｍ程度とされる。これにより、開口部３８は、アームレスト１４と縦フレーム１６ａとの間に入れやすい幅となっている。開口部３８の形状は、長方形形状であってもよいし、上底を最奥部３８ｃとした台形形状であってもよいし、最奥部３８ｃを角部とした三角形状としてもよく、その形状は特に限定されるものではない。また、最奥部３８ｃは、図示のように上方に膨らむ円弧形状であってもよい。さらに、開口部３８は、下側の開口端を拡幅し、装着作業を容易にする拡幅部３９を備えている。すなわち、開口部３８は、拡幅部３９によって、カバー本体３２の下端部に位置する開口端が開口部３８の中で最も広い幅となっている。
【００２３】
側方カバー部３４は、開口部３８を開閉する閉塞部４１を備えている。閉塞部４１も、可撓性を有する合成樹脂シートで構成されており、ここでは、開口部３８の全体を覆うことのできる大きさを有している。すなわち、閉塞部４１は、高さＨ以上の高さ寸法を有し、幅Ｗ以上の寸法を有している。また、閉塞部４１は、カバー本体３２よりさらに可撓性を有する布などのシート材で構成することもできる。閉塞部４１は、基端部が開口部３８の後方側縁部３８ａから後方隙間４２を介在させて、側方カバー部３４に縫い合わされている。基端部と反対側の先端部は、開口部３８の前方側縁部３８ｂから前方隙間４３を介在させて前輪１１ａの近くにまで延びている。
【００２４】
閉塞部４１の先端部は、固定部４５によって側方カバー部３４の前輪１１ａの近くに固定される。固定部４５は、一例として、面ファスナで構成されており、雄型ファスナ４５ａが閉塞部４１の内面に設けられ、雌型ファスナ４５ｂが側方カバー部３４の外面に設けられる。閉塞部４１は、可撓性を有しているが、固定部４５によって側方カバー部３４に固定されることで、ベビーカー１の走行に支障がなくなり、また、開口部３８を閉塞した状態に維持することで、収納部２３などが飛び跳ねた雨水などによって汚損することを防ぐことができる。
【００２５】
さらに、側方カバー部３４は、前方に、ベビーカー１の前方ロック部２１を外部に露出させる露出孔４４を備えている。これにより、ハンドル１６を対面押し位置に移動させたとき、縦フレーム１６ａの切替操作部材１９を前方ロック部２１に係合させることができる。
【００２６】
次に、以上のようなベビーカー１に用いられるカバー３１の作用について図３を参照して説明する。先ず、ハンドルが背面押し位置にあるときに、カバー３１を装着する手順を説明する。カバー３１は、前方カバー部３３をベビーカー１の前方に合わせ、後方カバー部３５をベビーカー１の後方に合わせて、下端部の下側開口部３７からベビーカー１を内部に入れ、上方から被せるように装着される。この際、後方カバー部３５は、ハンドル１６の横フレーム１６ｂと幌２２との間に挿入される。そして、側方カバー部３４は、縦フレーム１６ａとアームレスト１４との間に挿通され、開口部３８には、縦フレーム１６ａとアームレスト１４との間の隙間に跨って位置する回動支点部１８が挿入される。次いで、最奥部３８ｃが切替操作部材１９と後方ロック部２０とが係合した係合位置にまで至る。
【００２７】
これにより、カバー本体３２は、アームレスト１４、フロントガード１５、幌２２、最奥部３８ｃなどによって、ベビーカー１に支持される。この後、閉塞部４１は、固定部４５によって側方カバー部３４の前方に固定される。そうすると、ハンドル１６の縦フレーム１６ａは、係合位置に近い位置において、閉塞部４１と開口部３８の開口端との隙間から導出された状態となる。したがって、操作者は、カバー３１の外側でハンドル１６を持ってベビーカー１を操作することができる。一例として、ベビーカー１を背面押しできるし、ハンドルを背面押し位置から対面押し位置へと切り替えることができる。
【００２８】
なお、カバー３１は、カバー本体３２に設けられた紐部材などをベビーカー１を構成するフレームに結び付けて、更に確実に位置決めをすることもできる。
ベビーカー１にカバー３１が装着された状態において、ハンドル１６をベビーカー１の後方の背面押し位置から前方の対面押し位置に回動（矢印Ｄ方向）させるには、切替操作部材１９を操作して、後方ロック部２０との係合を解除し、ハンドル１６を対面押し位置に回動する。ところで、カバー３１は、全体が撓みやすく、また、軽量であることから、ベビーカー１に対する装着位置がずれ易く、また、形状も定まりにくい。例えば、カバー３１は、ベビーカー１を走行させているうちに、部分的に凹んだりして形状が変わり、また、装着位置が前後左右や上下に若干ずれてしまうことがある。このため、カバー３１の変形や装着位置のずれに伴って、切替操作部材１９は、閉塞部４１の上から露出していることもあれば、閉塞部４１によって覆われていることもある。したがって、切替操作部材１９が露出しているときには、そのまま切替操作部材１９を操作すればよいが、閉塞部４１によって覆われているときには、閉塞部４１をめくって切替操作部材１９を露出させて操作することになる。
【００２９】
ハンドル１６は、カバー３１の外側を、側方カバー部３４や閉塞部４１を撓ませながら切替操作部材１９がカバー３１から外側に露出している前方ロック部２１に係合するまで回動されることになる。これにより、ベビーカー１は、カバー３１を装着したままの状態で、ハンドル１６を背面押し位置から対面押し位置に変更することができる。これにより、操作者は、カバー３１の外側でハンドル１６を持ってベビーカー１を対面押しの状態で操作することができる。また、ハンドル１６を背面押し位置から対面押し位置へと切り替えることができる。
【００３０】
なお、対面押し位置から背面押し位置に戻すには、切替操作部材１９を操作して、前方ロック部２１との係合を解除しハンドル１６を背面押し位置に回動すればよい。
以上のようなベビーカー１によれば、以下に列挙する効果が得られる。
【００３１】
（１）ハンドル１６の縦フレーム１６ａは、係合位置に近い位置において、閉塞部４１と開口部３８の最奥部３８ｃとの間から導出された状態となる。したがって、カバー３１をベビーカー１から外すことなく、ハンドル１６を背面押し位置と対面押し位置との間を移動させることができる。
【００３２】
（２）開口部３８は、後方側縁部３８ａと前方側縁部３８ｂとが離間しており、前後方向の幅が細長い細線形状の開口などと比べて広いことから、縦フレーム１６ａとアームレスト１４との間に側方カバー部３４を挿入した際に、容易に回動支点部１８を開口部３８に挿入することができる。
【００３３】
（３）縦フレーム１６ａが閉塞部４１と最奥部３８ｃとの間から導出される位置は、縦フレーム１６ａにおいて、回動支点部１８に近い基端部側である。このような位置は、乗車部１３のクッション部１３ａと同じような高さまたはそれより下側となる。したがって、縦フレーム１６ａを伝って雨水などがカバー３１の内部に浸入したとしても、着座している乳幼児などが濡れてしまうことを抑えることができる。
【００３４】
（４）開口部３８は、前後方向の幅が細長い細線形状の開口などに対して幅広であることから、閉塞部４１により閉塞されていない状態において、収納部２３に対する物品を視認しやすく、出し入れを容易に行うことができる。
【００３５】
（５）開口部３８は、幅が広いが、閉塞部４１で閉塞される。したがって、収納部２３などが飛び跳ねた雨水などによって汚損することを防ぐことができる。
（６）閉塞部４１は、線ファスナ（スライドファスナ）などを用いることなく、閉塞部４１の先端部を、面ファスナなどの簡素で、廉価な部品で構成された固定部４５で固定することができる。
【００３６】
（７）閉塞部４１は、基端部が後方側縁部３８ａから後方隙間４２を介して固定され、先端部が前方隙間４３を介して固定部４５の雄型ファスナ４５ａが設けられており、開口部３８より大きい。したがって、閉塞部４１は、開口部３８に対して十分に大きいことで、しっかりと開口部３８を塞ぐことができる。
【００３７】
（８）開口部３８は、下側の開口端が拡幅部３９となっていることで、回動支点部１８を挿入する作業が容易となる。
（９）ハンドルが背面押し位置のとき、最奥部３８ｃは、切替操作部材１９が後方ロック部２０に係合した係合位置と接触することで、カバー本体３２をベビーカー１に対して支持する支持部ともなる。したがって、アームレスト１４、フロントガード１５、幌２２などのベビーカー１の最外部分を構成する部材とともに、カバー３１を支持し、ベビーカー１に対するカバー３１の位置ズレを防ぐことができる。
【００３８】
（１０）カバー３１が装着された状態でも、ハンドル１６を背面押し位置から対面押し位置に回動し、縦フレーム１６ａの切替操作部材１９を露出孔４４から露出した前方ロック部２１に直接係合させることができる。
【００３９】
（１１）カバー３１が装着された状態において、下側開口部３７が好ましくは前輪１１ａや後輪１２ａと重なるか前輪１１ａや後輪１２ａより若干高い位置と、ステップ２５とほぼ同じ高さかステップ２５より下側との間の何れかに位置する。これにより、乗車部１３の乳幼児等の足が濡れないようにすることができるとともに、収納部２３が飛び跳ねた雨水などによって汚損することを防ぐことができる。もちろん、下側開口部３７は、ステップ２５の上側に位置してしまうことがあってもよい。
【００４０】
なお、上記ベビーカー１は、以下のように変更してもよい。
・前方ロック部２１は、露出孔４４から外方に露出していなくてもよい。この場合、前方ロック部２１には、側方カバー部３４の上側から切替操作部材１９が係合されることになる。一例として、側方カバー部３４が可撓性を有する合成樹脂シートよりさらに薄手で可撓性を有する布などの防水性シート材で構成されているときは、当該シート材が前方ロック部２１に被さっていても、切替操作部材１９と前方ロック部２１とは確実に係合することができる。
【００４１】
・ハンドルが背面押し位置のとき、最奥部３８ｃは、切替操作部材１９が後方ロック部２０に係合した係合位置と接触していなくてもよい。
・カバー３１の着脱に支障がないのであれば、開口部３８は、拡幅部３９を備えていなくてもよい。一例として、下側の開口端も開口部３８の他の領域と同じ幅でもよい。また、開口端が開口部３８の他の領域よりも狭くてもよい。
【００４２】
・閉塞部４１の基端部は、開口部３８の後方側縁部３８ａに後方隙間４２を介在させることなく、または、後方隙間４２を極力小さくして取り付けられていてもよい。また、閉塞部４１の先端部は、前方側縁部３８ｂに前方隙間４３を介在させることなく、または、前方隙間４３を極力小さくして固定部４５に固定されるようにしてもよい。
【００４３】
・閉塞部４１は、基端部が開口部３８に対して前方に位置し、先端部が開口部３８に対して後方に位置するように構成してもよい。
・ベビーカー１は、乗車部１３の下に収納部２３を備えていなくてもよい。
【００４４】
・閉塞部４１を側方カバー部３４に固定する固定部４５としては、面ファスナの他、ホック、スライドファスナ、スナップなどであってもよい。
・カバー本体３２は、その一部に、通気性をよくするメッシュ部などを設けるようにしてもよい。
【００４５】
・カバー３１がベビーカー１に装着されたときに、ハンドル１６の回動支点部１８は、開口部３８の最奥部３８ｃに位置するようにし、後方ロック部２０は、露出孔４４と同様な露出孔によって、外部に露出させるようにしてもよい。この場合、開口部３８の高さＨは、上述の開口部３８の高さＨより低いものとなる。このように、開口部３８を小さくした場合には、内側に雨水なども入りにくくなり、また、閉塞部４１も小さくなり、開閉作業がし易くなる。
【００４６】
・開口部３８を図１〜図３の例より更に大きなものとし、開口部３８の内側には、後方ロック部２０および前方ロック部２１が位置するようにしてもよい。これにより、前方ロック部２１のための露出孔４４を省略することができ、カバー本体３２の構成を簡素化することができる。また、露出孔４４が無くなることで、カバー本体３２の内部に雨水などが浸入しにくくなる。
【００４７】
・開口部３８は、前方ロック部２１が開口部３８内側に位置するようにし、後方ロック部２０は、開口部３８とは別に設けた露出孔から露出させるようにしてもよい。
・開口部３８とは別に、前方ロック部２１のための露出孔４４と後方ロック部２０のための露出孔を設けるようにしてもよい。これにより、開口部３８の大きさを小さくすることができる。これに伴い、カバー本体３２に対して可動する閉塞部４１も小さくすることができるので、カバー３１の取り扱いがより容易なものとなる。
【００４８】
・カバー本体３２は、下側開口部３７の開口面積を他より広い面積とし、ベビーカー1に装着し易いように、末広がり形状としてもよい。
・固定部４５は、閉塞部４１の先端部に紐などを設けて、前脚フレーム１１に結ぶような構成としてもよい。
【００４９】
・最奥部３８ｃの位置からは、縦フレーム１６ａが導出されることから、最奥部３８ｃの部分は、閉塞部４１で閉塞されていなくてもよい。
・前方カバー部３３と側方カバー部３４との境界部分、側方カバー部３４と上方カバー部３６との境界部分、側方カバー部３４と後方カバー部３５との境界部分、上方カバー部３６と後方カバー部３５との境界部分などに、発光または蓄光性の帯体を縫着し、ステッチを形成するようにしてもよい。
【００５０】
・閉塞部４１は、開口部３８の上方位置から垂下される構成としてもよい。このような場合、閉塞部４１は、基端部が側方カバー部３４における開口部３８の上方かつ前方および後方部分のうちの一方の部分に縫着などによって固定される。そして、側方カバー部３４における開口部３８の上方かつ前方および後方部分のうちの他方の部分に先端部が固定部４５によって着脱可能に固定される。閉塞部４１が固定部４５によって固定されるときには、最奥部３８ｃから導出している縦フレーム１６ａを閉塞部４１が外側から覆うとようにして、それから固定部４５により側方カバー部３４に固定される。このような構成によっても、上述の実施形態と同様の効果を得ることができる。さらに、開口部３８の下方かつ前方および後方部分のうち少なくとも一方も固定部４５で側方カバー部３４に対して着脱可能に固定するようにしてもよい。
・ベビーカー１の構成は、図１〜図３に示したものに限定されるものではない。
【符号の説明】
【００５１】
１…ベビーカー、１１…前脚フレーム、１１ａ…前輪、１２…後脚フレーム、１２ａ…後輪、１３…乗車部、１３ａ…クッション部、１４…アームレスト、１５…フロントガード、１６…ハンドル、１６ａ…縦フレーム、１６ｂ…横フレーム、１７…開閉ロックレバー、１８…回動支点部、１９…切替操作部材、２０…後方ロック部、２１…前方ロック部、２２…幌、２３…収納部、２４…前ステー、２５…ステップ、３１…カバー、３２…カバー本体、３３…前方カバー部、３４…側方カバー部、３５…後方カバー部、３６…上方カバー部、３７…下側開口部、３８…開口部、３８ａ…後方側縁部、３８ｂ…前方側縁部、３８ｃ…最奥部、３９…拡幅部、４１…閉塞部、４２…後方隙間、４３…前方隙間、４４…露出孔、４５…固定部、４５ａ…雄型ファスナ、４５ｂ…雌型ファスナ。
【図１】
2019127166.tif 000003
【図２】
2019127166.tif 000004
【図３】
2019127166.tif 000005